(57)【要約】【課題】即時対応が可能なる犬糞処理具を提供する。【解決手段】開閉可能なる開閉体をその前面に有する中空のケース本体を設け、ケース本体上方にてケースに対し回動可能なる柄を設け、前記開閉体に連続する湾曲部をケース内に収納可能に位置させ、柄の前面に紐掛け金具を開閉体前面に紐止め金具を各々設け、紐止め金具に伸縮紐を、紐先端側が下方に付勢するよう結びつけたことを特徴とする。【選択図】図６
0003197940.tif 000002
【実用新案登録請求の範囲】
【請求項１】
開閉可能なる開閉体をその前面に有する中空のケース本体を設け、ケース本体上方にてケースに対し回動可能なる柄を設け、前記開閉体に連続する湾曲部をケース内に収納可能に位置させ、柄の前面に紐掛け金具を開閉体前面に紐止め金具を各々設け、紐止め金具に伸縮紐を、紐先端側が下方に付勢するよう結びつけたことを特徴とする即時対応型犬糞処理具。
【請求項２】
開閉体に対する湾曲部位置を、側面視において略直角としてなる請求項１記載の即時対応型犬糞処理具。
【請求項３】
開閉体の回動範囲を、ケースに設けた軸体保持部と開閉体に設けた回動板および突出軸体との係合にて制限してなる請求項１または２記載の即時対応型犬糞処理具。
【考案の詳細な説明】
【技術分野】
【０００１】  この考案は、犬の排泄時に迅速にその排泄物の処理を行うことのできる即時対応型の犬糞処理具に関する。
【背景技術】
【０００２】  従来より、種々の犬糞処理用具が利用されているが、本案にて示すように、片手のワンタッチ動作にてすばやく対処できるものは現在のところ見当たらない。
【考案の概要】
【考案が解決しようとする課題】
【０００３】  近年、ペットブームが進展しており、とりわけ犬を飼う人が増加しつつある。
犬には散歩などの運動が必須であるが、この散歩中に排泄となることがよくあって、飼い主はその都度対処している。一般的には、ビニール袋を携帯し、排泄にて地上に落ちた排泄物をくるんで、拾い上げて持ち帰って処理したり、あるいは市販の犬糞処理具を用いるなど様々である。犬の排泄時には、犬はその歩行を止めて静止するが、地上に落ちた排泄物を拾い上げる作業はどちらかといえば不快感を伴うものである。
また、従来手段では準備にそれなりの作業時間を必要とするために、犬糞落下時に間に合わないのが現状となっている。
本案は以上に鑑み、犬の排泄時に素早く対処できるとともに、その排泄物が地上に落下する前に受け止めることにて、迅速な犬糞処理を可能とする、新規かつ有用なる手段を得ることを目的として発案されたものである。
【課題を解決するための手段】
【０００４】  課題を解決する手段として本案は以下の構成とした。
すなわち、開閉可能なる開閉体をその前面に有する中空のケース本体を設け、ケース本体上方にてケースに対し回動可能なる柄を設け、前記開閉体に連続する湾曲部をケース内に収納可能に位置させ、柄の前面に紐掛け金具を開閉体前面に紐止め金具を各々設け、紐止め金具に伸縮紐を、紐先端側が下方に付勢するよう結びつける。
本案は以上の構成よりなる即時対応型犬糞処理具である。
【考案の効果】
【０００５】  本案によれば、手に持った柄を振ることにてケース本体が振られて伸縮紐を紐掛け金具より離脱させ、開閉体は瞬時に開くので、排泄しようとしている犬の局所下方に素早く位置させて、落下排泄物を開閉体および湾曲部にて受け止めて、すみやかなる犬糞処理を可能とする有用なる物品を得ることができる。
また、犬糞収納後は、伸縮紐を元の紐掛け金具に掛けて開閉体を常時閉状態として持ち帰ることができて、内容物が人目に触れず、ケース本体内にその臭気を閉じ込めてスマートな対応をすることができる。
【図面の簡単な説明】
【０００６】
【図１】  本考案の平面図
【図２】  本考案の正面図
【図３】  本考案の左側面図
【図４】  本考案の要部構造説明図（本体部縦断面）
【図５】  本考案の要部構造拡大説明図
【図６】  本考案の使用説明図
【考案を実施するための最良の形態】
【０００７】  以下、本考案の実施形態について説明する。
図において、１はケース本体で、その前部および下部を開放した合成樹脂中空体であって、その上部は曲面状に形成されるとともに、一対の対向する突片部２を有し、この突片部間は切除されている。３は断面コ字形の柄で、その下端近傍は突片部間に挿通されるピン４にてケース本体に対し所定範囲内にて回動可能に軸支され、該柄の上端には柄より膨大サイズ中空体によるキャップ５が圧入保持される。また、柄の前面中間位置には市販品による紐掛け金具６が取り付けられる。
７は開閉体である。この開閉体は前記のケース本体前面の開放部を覆うサイズ形状の合成樹脂板体であって、その前面は平面視曲面状に形成される。また、開閉体の上部前面には市販の環状金具による紐止め金具８が取り付けられる。この紐止め金具には図２〜図３にて示すように、ゴム製の伸縮紐９がその先端側が常時下方に向かうよう結びつけられる。【０００８】  １０は湾曲部で、開閉体と側面視略直角に固定される板体であり、半球状に近似形状の部分であるとともに、開閉体の閉時にケース本体内に納まるサイズの部分である。
１１は該湾曲部の一端に一体に平行して一対が設けられる回動板で、側面視略Ｌ形の部分であって、その一端には突出軸体１２が一体に設けられる。１３は軸体保持部で、前記のケース本体内面下部に一対が一体に設けられる部分であって、その一部に図５にて示すように切除部が設けられ、この切除部内に前記の突出軸体が位置している。
従って、開閉体はこの突出軸体を回動中心として所定範囲内にてケース本体に対して開閉が可能である。すなわち、閉時はケース本体に当接してその閉位置が決まり、開時は回動板の一部がケース本体前部上縁に接して開位置が決まり、その最大開度はケース本体に対して約４５度である。以上が、本案の一実施形態である。【０００９】  次に、本案の使用について説明する。
本案使用前は、図６左部にて示すように伸縮紐は紐掛け金具に掛けられており、開閉体は閉状態である。使用時は、柄を持ちつつ前方へ振り出すと図６中部のように柄は垂直のまま本体ケースは前方へ移動しようとするが、本体ケースに対し柄は回動可能のため、柄に対する本体ケースの角度が変わり、伸縮紐は紐掛け金具より離脱し、本体ケースは元の位置へと戻るが、その反動にて開閉体が開いて図６右部の状態となる。このとき開閉体は突出軸体を回動中心として回り、回動板が本体ケース下部上縁に接する位置の角度にて静止し、これは図のごとく約４５度の位置となる。
この開閉体および湾曲部上にはあらかじめ適宜にティッシュペーパーが載置されている。排泄しようとして静止している犬の局部下方にこの開いた部分を素早く位置させ、排泄物をこのティッシュペーパーにて受け止め、開閉体を閉として伸縮紐を元の紐掛け金具に掛ける。これで初期状態となり、このまま散歩を続けることができる。帰宅後、内容物はトイレに流すなどして処理することができる。なお、ティッシュペーパーに代えてトイレットペーパーを用いれば、水溶性のため楽に処理することができる。【００１０】  以上、本案について記したが、本案は開閉体をワンタッチで開き、犬糞に対する迅速な対応ができるところにその特徴を有するものである。従来品は、両手を用いての準備作業が必要であって、犬糞が地上に落下してからの処理しかできないのに比べ、本案品は排泄物落下途中の犬糞を受け止めて収納できるところに特徴を有している。
既例にて示した伸縮紐は、より詳細に説明すると、紐止め金具根元の下部に回してから曲げて環状の紐止め金具内を通して下方に垂下するものである。紐掛け金具にこの伸縮紐を掛けるときは、紐はこの紐止め金具の外に接しつつ上方へ伸びることとなる。
また、紐止め金具に接している紐部分は接着されている。従って、紐掛け金具から外れたこの伸縮紐へは常に下方へ向かう力が働き、既述の作用となるものである。
また、柄上部にはキャップが位置して、手からの柄の離脱を防いでいる。開閉体が開のとき、その角度にて糞受け箇所は上方へ側面視Ｖ字形となって、糞を収納保持しやすい状態となる。糞を収納すると、その重量にて開閉体は閉方向へ付勢されるため、不用意な開閉体の開きは防止される。開閉体と湾曲部が一体化して下方への膨らみを有した状態であり、落下した糞を安定的に受け止めることができる。
なお、既述の例は実施の一例であって、近似の他の構成としてもよい。
以上のごとく、本案によって即時対応可能なる有用なる犬糞処理具を得ることができる。
【符号の説明】
【００１１】  １  ケース本体
２  突片部
３  柄
４  ピン
５  キャップ
６  紐掛け金具
７  開閉体
８  紐止め金具
９  伸縮紐
１０  湾曲部
１１  回動板
１２  突出軸体
１３  軸体保持部
【図１】
0003197940.tif 000003
【図２】
0003197940.tif 000004
【図３】
0003197940.tif 000005
【図４】
0003197940.tif 000006
【図５】
0003197940.tif 000007
【図６】
0003197940.tif 000008